(57)【要約】【課題】洗面台の側板の厚みに対応して向きを変えて取り付けできる脚部材を提供する。【解決手段】洗面台の側板４の下端に取り付けられ床面Ｆと当接する脚部材７であって、この脚部材７は、側板４の厚み方向である横方向寸法ａと、側板４の奥行き方向である縦方向寸法ｂが異なる寸法に設定されている。【選択図】図３
2013094306.tif 000002
【特許請求の範囲】
【請求項１】
洗面台の側板の下端に取り付けられ床面と当接する脚部材であって、
該脚部材は、前記側板の厚み方向である横方向寸法と、前記側板の奥行き方向である縦方向寸法が異なる寸法に設定されている
ことを特徴とする洗面台の脚部材。
【請求項２】
前記請求項１に記載の脚部材を、洗面台の側板の前端に取り付けたことを特徴とする洗面台。
【発明の詳細な説明】
【技術分野】
【０００１】
本発明は、洗面台の脚部材および、この脚部材を取り付けた洗面台に関するものである。
【背景技術】
【０００２】
従来、特許文献１に開示されているように、洗面キャビネットの底部に、床面と当接し得る固定脚が設けられたキャビネットの下部構造が存在する。
【先行技術文献】
【特許文献】
【０００３】
【特許文献１】実開平２−７４９６９号公報
【発明の概要】
【発明が解決しようとする課題】
【０００４】
上記特許文献１に開示されている構造では、固定脚により洗面キャビネットが床面から浮き上がった状態で設置されるため、洗面キャビネット使用時に垂れた水が床に溜まり、この溜まった水をキャビネットが吸って、洗面キャビネットの下端が膨れてしまうような現象を回避することができるものであるが、洗面キャビネットを床面から浮かせたことにより、キャビネットの下端と床面との間の隙間に足の指が入り込んでしまうという問題点があり、また、従来では、洗面キャビネットの側板の厚みが変わる毎に、この側板の厚みに対応した固定脚を製造しなければならないという問題点があった。
【課題を解決するための手段】
【０００５】
本発明は、洗面台を構成する側板の厚みに対応して縦横の向きを変えて取り付けできる洗面台の脚部材の提供および、このような脚部材を取り付けた洗面台の提供を目的とし、この目的の少なくとも一部を達成するために以下の手段を採った。
本発明は、洗面台の側板の下端に取り付けられ床面と当接する脚部材であって、該脚部材は、前記側板の厚み方向である横方向寸法と、前記側板の奥行き方向である縦方向寸法が異なる寸法に設定されていることを要旨とする。
【発明の効果】
【０００６】
本発明の洗面台の脚部材は、横方向寸法と縦方向寸法が異なる寸法に設定されたものであるため、洗面台の側板の厚みに対応して縦横の向きを変えて、良好に側板の下端に取り付けることができ、１種類のものを用意すれば側板の厚みの異なる洗面台に対応できるため、脚部材の部品点数を減らすことができるものとなる。
【０００７】
また、本発明の洗面台は、横方向寸法と縦方向寸法が異なる寸法に設定された脚部材を、洗面台の側板の底側前端に取り付けたことを要旨とする。
こうすれば、洗面台の側板の底側前端に脚部材を取り付けることで、足の指を側板の下端と床面間に挟み込むような事態を回避することができる。
【図面の簡単な説明】
【０００８】
【図１】洗面台の設置状態の一例を示す斜視構成図である。
【図２】タイプの異なる洗面台の要部斜視構成図である。
【図３】図２の洗面台の一方側の側板の部分の拡大斜視構成図である。
【図４】厚みの薄い側板の下端に縦横の向きを変えて脚部材を取り付けた状態の要部拡大斜視構成図である。
【図５】脚部材の拡大斜視構成図である。
【発明を実施するための形態】
【０００９】
次に、本発明を実施するための形態を実施例を用いて説明する。
図１は、洗面台の設置状態の一例を示す斜視構成図である。
洗面台１は、左右の側板４の上部に洗面器カウンター３が設置されて構成されており、洗面台１の上方には、ミラーキャビネット８が立設され、洗面台１の側方には、トールキャビネット９が配設されている。
洗面台１の左右の側板４は上部が前方へ張り出しており、膝や車椅子を洗面器の下に入れることができるタイプとなっている。この左右の側板４の底側前端には、床面Ｆと当接する脚部材７，７がそれぞれ取り付けられている。
【００１０】
図２は、タイプの異なる洗面台の斜視構成図であり、図３は、図２の要部拡大斜視構成図である。
この洗面台１は、キャビネット２の上部に洗面器カウンター３が設置されて構成されており、キャビネット２の前面には開閉可能に開閉扉５が設けられ、この開閉扉５の奥側が収納空間となっている。キャビネット２を構成する左右の側板４の底側前端には、床面Ｆと当接する脚部材７，７がそれぞれ取り付けられている。また、左右の側板４，４間の前端側には、開閉扉５の下方にケコミ幅木６が設けられている。
なお、キャビネット２に開閉扉と引き出しが設けられたタイプの洗面台や、キャビネット２に引き出しのみが複数設けられたタイプの洗面台においても、キャビネット２の左右の側板４の底側前端には、床面Ｆと当接する脚部材７，７がそれぞれ取り付けられる。
【００１１】
脚部材７は、図３に拡大して示し、また、図５に拡大斜視図で示すように、側板４の厚み方向である横方向寸法ａと、側板４の奥行き方向である縦方向寸法ｂの寸法が異なる寸法に設定されており、例えば横方向寸法ａは１６ｍｍに設定され、縦方向寸法ｂは１４ｍｍに設定されている。
この脚部材７は、樹脂で形成されており、下方向に向かって下傾した下すぼまり形状に形成されている。従って、本例では、脚部材７の上端側の横方向寸法ａが１６ｍｍに設定されており、脚部材７の上端側の縦方向寸法ｂが１４ｍｍに設定されている。
【００１２】
キャビネット２の側板４の厚み寸法ｃが１７ｍｍである場合には、図３のように、横方向寸法ａの面を前面にし、縦方向寸法ｂの面を奥行き方向にして、側板４の底側の前端に脚部材７を取り付けることができ、取り付け状態では脚部材７の下端が床面Ｆに当接して、キャビネット２の側板４を床面Ｆから浮かせた状態とすることができる。
これにより、洗面台１の使用時に洗面器カウンター３側から垂れた水がキャビネット２を伝わって床面Ｆに溜まっても、この溜まった水が木製のキャビネット２の側板４に吸われるようなことはなく、キャビネット２の側板４の下端が水を吸って膨れてしまうような現象を良好に回避できる。
【００１３】
また、脚部材７は、側板４の底側前端に取り付けられるため、足の指は脚部材７に当接して奥側へ入り込むことはなく、使用者が足の指を側板４の下端と床面Ｆ間の隙間に挟み込むようなことがない。
【００１４】
なお、側板４は木製であるため、脚部材７は釘あるいはネジ等を用いて側板４の下端に取り付け固定することができるものである。
なお、図５に拡大斜視図で示すように、脚部材７に釘部７ａを一体形成したものであっても良い。この場合は、釘部７ａがキャビネット２の側板４の底側に打ち込まれて、脚部材７が側板４の底側前端に取り付け固定される。
【００１５】
このような脚部材７は、キャビネット２の側板４の厚み寸法ｃが１５ｍｍである場合には、図４に示すように、縦方向寸法ｂの面を前面にし、横方向寸法ａの面を奥行き方向にして、脚部材７を側板４の底側前端に取り付けることができるものであり、脚部材７の横方向寸法ａの面あるいは縦方向寸法ｂの面の何れかを選択して、側板４の厚みに対応させた取り付け状態とすることができ、脚部材７は１種類のものを製造しておけば、側板４の厚み寸法の異なる２種類のキャビネット２に取り付けすることができるものである。
このように、キャビネット２の側板４の板厚により、脚部材７の向きを変えて良好に対応することができ、脚部材７の部品点数を減らすことができるものとなる。
【符号の説明】
【００１６】
１  洗面台
２  キャビネット
３  洗面器カウンター
４  側板
５  開閉扉
７  脚部材
ａ  横方向寸法
ｂ  縦方向寸法
ｃ  側板の厚み寸法
【図１】
2013094306.tif 000003
【図２】
2013094306.tif 000004
【図３】
2013094306.tif 000005
【図４】
2013094306.tif 000006
【図５】
2013094306.tif 000007